(57)【特許請求の範囲】
【請求項１】
鋼製基礎を用いた建物の基礎構造であって、鉄筋コンクリート製の基礎底盤の上に前記鋼製基礎を設け、該鋼製基礎の外側に断熱材層を設け、該断熱材層の外側に保護化粧材を設け、前記鋼製基礎の内側の床下に調湿コンクリート層を設けたことを特徴とする建物の基礎構造。
【請求項２】
上記保護化粧材が建物の外壁と略同様の化粧模様になされていることを特徴とする請求項１に記載の建物の基礎構造。
【請求項３】
地盤に鉄筋コンクリート製の基礎底盤を設け、この基礎底盤の上に鋼製基礎を設置し、この鋼製基礎の外側に断熱材層を介して保護化粧材を設けるとともに鋼製基礎の内側の地盤上に防湿層を介して調湿コンクリート層を設けることを特徴とする建物の基礎の施工方法。
【発明の詳細な説明】
【０００１】
【発明の属する技術分野】
この発明は、建物の基礎構造及びその施工方法に関するものである。
【０００２】
【従来の技術】
従来、建物の基礎の外断熱構造として、特開平８−２５３９４１号公報や特開平８−２０９７１３号公報に記載されている技術が知られている。
【０００３】
特開平８−２５３９４１号公報の技術は、鉄筋コンクリート製の基礎の外側にパネル化した断熱材を取り付け、現場工期の短縮を図るものである。特開平８−２０９７１３号公報の技術は、鉄筋コンクリート製の基礎の側面を型枠兼用の断熱材で覆い、基礎の内側の地盤上に防湿コンクリート層を設けるものである。型枠兼用の断熱材を用いることによって、施工が容易で工期を短縮している。
【０００４】
また、特許第２８６０４９０号公報には、アンカーボルトの位置精度を向上させたり、基礎配筋などを簡略化し、工期の短縮を図るために、鉄骨基礎の技術が記載されている。鋼製の基礎梁の上面にアンカーボルト孔を設け、この基礎梁に予め鉄筋を溶接したものを工場生産する。施工現場では、この鋼製基礎梁をコンクリート製の据え付け台の上に設置し、基礎梁の周辺にコンクリートを打設して基礎梁を被覆し、防錆防蝕性、安定性（構造強度）を増すようにするものである。
【０００５】
【発明が解決しようとする課題】
しかしながら、上記特開平８−２５３９４１号公報や特開平８−２０９７１３号公報に記載の基礎の外断熱構造の技術では、いずれも鉄筋コンクリート製の基礎にしていたから、相変わらずこの鉄筋の配筋やコンクリートの打設、硬化養生に熟練と長い工期を必要としていた。
【０００６】
また、特許第２８６０４９０号公報に記載の鉄骨基礎の技術でも、鋼製基礎梁を使用するが、相変わらずその周辺にコンクリートを打設して基礎梁を被覆し、防錆防蝕性等を向上させようとしていたから、このコンクリートの打設、硬化養生に長い工期を必要とする問題があった。
【０００７】
そこで、本発明の目的は、上記の問題点を解消し、熟練を必要とせずに位置精度がよく、工期の短縮化が図れる建物の基礎構造及びその施工方法を提供することにある。
【０００８】
【課題を解決するための手段】
請求項１記載の本発明は、鋼製基礎を用いた建物の基礎構造であって、鉄筋コンクリート製の基礎底盤の上に鋼製基礎が設けられ、鋼製基礎の外側に断熱材層が設けられ、断熱材層の外側に保護化粧材が設けられ、鋼製基礎の内側の床下に調湿コンクリート層が設けられていることを特徴とする建物の基礎構造である。
【０００９】
請求項２記載の本発明は、上記保護化粧材が建物の外壁と略同様の化粧模様になされていることを特徴とする請求項１に記載の建物の基礎構造である。
【００１０】
請求項３記載の本発明は、地盤に鉄筋コンクリート製の基礎底盤を設け、この基礎底盤の上に鋼製基礎を設置し、この鋼製基礎の外側に断熱材層を介して保護化粧材を設けるとともに鋼製基礎の内側の地盤上に防湿層を介して調湿コンクリート層を設けることを特徴とする建物の基礎の施工方法である。
【００１１】
上記本発明において、鋼製基礎とは、建物荷重を受けることができる鋼材製の基礎のことであり、Ｈ形鋼、溝形鋼、リップ溝形鋼等が用いられる。この鋼製基礎の鋼材としては、炭素鋼の他、クロム、ニッケル、マンガン、珪素、燐、硫黄、アルミニウム、銅などとの合金鋼であってもよく、クロム、ニッケルなどとの合金であるステンレス鋼が防錆、耐蝕性に優れ好ましく、特にクロムが１０．５〜１５％のクロム鋼が防錆、耐蝕性に加え、安価であり好ましい。更に、上記鋼材に鍍金をしたり、塗装をして防錆、耐蝕性を向上させたものも好ましい。
【００１２】
上記本発明において、断熱材層とは、基礎を外側から断熱するものであり、ポリスチレン発泡体、ポリウレタン発泡体、アクリル樹脂発泡体、フェノール樹脂発泡体、グラスウール、発泡セラミック、発泡コンクリート、ＡＬＣなどの断熱材が用いられる。
【００１３】
上記本発明において、保護化粧材とは、上記断熱材層を保護し化粧するためのものでありＰＣ板、ＡＬＣ板、繊維強化セメント板、硬質木片セメント板、セラミック板、これらの積層材、上記板にタイルなどの化粧材を貼ったものなどが用いられる。
【００１４】
上記本発明において、調湿コンクリートとは、湿気の吸収放出が可能なコンクリートのことであり、例えば湿気の吸収放出をする石膏、製鋼スラグ、珪藻土、ＡＬＣ屑などが含まれたコンクリートがある。
【００１５】
【作用】
請求項１記載の本発明の建物の基礎構造は、鋼製基礎の外側に断熱材層が設けられ、断熱材層の外側に保護化粧材が設けられているから、寸法精度を出すのが容易な鋼製基礎により基礎及びアンカーボルト等の位置精度がよくなり、断熱材及び保護化粧材の収まりが向上し、鋼製基礎の外側を断熱材層及び保護化粧材により保護するので、工期の長いコンクリート被覆をする必要がなく、工期の短縮が図れる。
さらに、鉄筋コンクリート製の基礎底盤の上に鋼製基礎が設けられているから、支持強度のある鉄筋コンクリート製の基礎底盤によって、寸法精度を出すのが容易な鋼製基礎がより正確に設置でき、基礎及びアンカーボルト等の位置精度がよくなる。鉄筋コンクリート製の基礎底盤は鋼製基礎を受けるだけであるので、あまり細かい精度を必要とせず、作業に熟練を必要としない。
しかも、鋼製基礎の内側の床下に調湿コンクリート層が設けられているから、床下及び建物内を調湿コンクリートによってその湿度を調整することができる。すなわち、床下及び建物内の湿度が高いときは、調湿コンクリートが湿気を吸収し、床下及び建物内が乾燥しているときは、調湿コンクリートが湿気を放出して調整するのである。
【００１６】
請求項２記載の本発明の建物の基礎構造は、上記保護化粧材が建物の外壁と略同様の化粧模様になされているから、建物の外壁と基礎の外面とが同様の化粧模様に見え、全体として見栄えがよく、高級感のあるものになる。
【００１７】
請求項３記載の本発明の建物の基礎の施工方法は、地盤に鉄筋コンクリート製の基礎底盤を設け、この基礎底盤の上に鋼製基礎を設置し、鋼製基礎の外側に断熱材層を介して保護化粧材を設けるから、コンクリートの打設作業は基礎底盤のみとなり、施工の工期を短縮できる。また、鋼製基礎は寸法精度を出すのが容易であるので、基礎及びアンカーボルト等の位置精度がよくなり、鋼製基礎の外側を断熱材層及び保護化粧材により保護されるので、鋼製基礎が断熱されるとともにその耐錆性、耐蝕性も向上させることができる。
さらに、鋼製基礎の内側の地盤上に防湿層を介して調湿コンクリート層を設けるから、簡単に床下及び建物内の調湿もできるものとなる。
【００１８】
【発明の実施の形態】
以下、本発明の実施の形態について図面を参照しながら詳細に説明する。図１は本発明の実施例である建物の基礎構造の断面図、図２は本発明に用いるレベル出し機構付き締結用ボルトの正面図、図３は本発明の他の実施例である建物の基礎構造の断面図である。
【００１９】
鉄筋コンクリート製の基礎底盤１の上に高さ調整コンクリート２を介して鋼製基礎３が設けられている。鋼製基礎３の外側にポリスチレン発泡体からなる断熱材層４が設けられ、断熱材層４の外側に硬質木片セメント板からなる保護化粧材５が設けられている。鋼製基礎３の内側の床下には調湿コンクリート層６が設けられている。
【００２０】
基礎底盤１は、砕石１１からなる地業の上に設けられている。基礎底盤１は鉄筋コンクリートからなり、その幅が８０ｃｍで高さが２０ｃｍあり、鋼製基礎３を支持し建物の荷重を十分に地盤に伝えられるようになっている。
【００２１】
鋼製基礎３は、ステンレス鋼（クロム１３％のＳＵＳ４１０、クロム鋼）からなり、肉厚が６ｍｍで、高さが３５０ｍｍ、幅が８０ｍｍであり、上方の折り返しが５０ｍｍのリップ溝形鋼になっている。鋼製基礎３は、その下部がレベル出し機構付き締結用ボルト３１により高さ調整コンクリート２上に固定されている。鋼製基礎３の上部にはアンカーボルト３２が溶接により固定されている。
【００２２】
レベル出し機構付き締結用ボルト３１は、図２に示すようになっており、上部の芯棒３１１を打ち込むと、下部のアンカー機構３１２が拡径し、高さ調整コンクリート２内のボルト孔に固定されるようになっている。レベル出しは、ボルト部３１３に螺着される上下のナット３１４、３１５によって調整される。
【００２３】
断熱材層４と保護化粧材５とはパネル化されている。断熱材層４は厚みが３０ｍｍであり、保護化粧材５は厚みが１５ｍｍであり、工場にて両者が再生ゴム系接着剤で接着されて一体になっている。パネル化された断熱材層４と保護化粧材５とは、酢酸ビニル樹脂系接着剤とタッピングねじ５１、５１により鋼製基礎３に取り付けられている。タッピングねじ５１、５１のねじ頭はシリコーンコーキング５２、５２により断熱、防錆、化粧処理されている。
【００２４】
調湿コンクリート層６は、建築廃材の石膏とＡＬＣ屑が多量に含有されたコンクリートであり、厚みが１００ｍｍになっている。調湿コンクリート層６の下面には、ポリエチレンフィルムからなる防湿フィルム（防湿層）６１が設けられている。調湿コンクリート層６の周囲には、ポリスチレン樹脂からなる捨て型枠６２が設けられている。
【００２５】
鋼製基礎３の上部には、建物本体の鋼製土台８１がアンカーボルト３２により固定されている。建物本体の鋼製柱８２がアンカーボルト３２に固定される場合もある。鋼製土台８１及び鋼製柱８２の外側には建物本体の外壁８３が設けられている。外壁８３は、厚み８０ｍｍのＡＬＣ板（軽量気泡コンクリート板）からなっている。外壁８３の下部には、ステンレス鋼製の水切り８４が取り付けられ、保護化粧材５の上部を覆っている。
【００２６】
外壁８３の化粧模様と保護化粧材５の化粧模様は同一になっており、両者のデザイン及び質感が同じになるようになっている。
【００２７】
次に上記建物の基礎構造の施工方法を手順を追って説明する。
１．建物の軸力を地盤に伝えるため、あらかじめ、地面を床掘りし、砕石１１によって地業をする。
【００２８】
２．その上に、鉄筋を配筋し、コンクリートを打設して鉄筋コンクリート製の基礎底盤１を設ける。
【００２９】
３．その後、基礎底盤１の上に、鋼製基礎３を適切な高さに設置するための、高さ調整コンクリート２を所定の部分、部分に打設する。
【００３０】
４．基礎底盤１、高さ調整コンクリート２を打設後、建物本体を組み立てても支障が出ないように、コンクリートの養生を行ない、必要強度を確保する。
【００３１】
５．建物本体の組み立て前日までに、基礎底盤１で囲まれた内側周囲に捨て型枠６２を設置する。地面からの湿気を遮断するための防湿フィルム（防湿層）６１を敷き込む。そして、防湿フィルム６１上に調湿コンクリート６を打設する。調湿コンクリート層６は、作業員が歩行可能な程度に硬化していれば、建物本体の組み立て作業に支障がない。
【００３２】
６．建物本体の組み立て当日、高さ調整コンクリート２にドリルでボルト孔を空け、レベル出し機構付き締結用ボルト３１を取り付ける。
【００３３】
７．このレベル出し機構付き締結用ボルト３１をガイドとして、鋼製基礎３を高さ調整コンクリート２上に設置する。更に、レベル出し機構付き締結用ボルト３１のレベル出し機構（レベル出しナット３１４、３１５）を利用し、鋼製基礎３の天端の水平精度を調整した後、締結用を兼ねるナット３１４で締結する。鋼製基礎３と高さ調整コンクリート２の間に隙間が出る場合は、この隙間をコンクリートで埋める。
【００３４】
８．建物本体を鋼製基礎３の上にアンカーボルト３２など使って組み立て後、鋼製基礎３の外側に、断熱材層３と保護化粧材５とがパネル化されたものを、酢酸ビニル樹脂系接着剤とタッピングねじ５１とで固定するのである。そうすると、建物本体の外壁８３と保護化粧材５の化粧模様が同様に見え、高級感のある建物となる。
【００３５】
この建物の基礎構造は、鋼製基礎３の外側に断熱材層４が設けられ、断熱材層４の外側に保護化粧材５が設けられているから、寸法精度を出すのが容易な鋼製基礎３により基礎及びアンカーボルト３２等の位置精度がよくなり、断熱材層４及び保護化粧材５の収まりが向上し、鋼製基礎３の外側を断熱材層４及び保護化粧材５が保護するので、工期の長いコンクリート被覆をする必要がなく、工期の短縮が図れる。
【００３６】
また、鉄筋コンクリート製の基礎底盤１の上に鋼製基礎３が設けられているから、支持強度のある鉄筋コンクリート製の基礎底盤１によって、寸法精度を出すのが容易な鋼製基礎３がより正確に設置でき、基礎及びアンカーボルト３２等の位置精度がよくなる。鉄筋コンクリート製の基礎底盤１は鋼製基礎３を受けるだけであるので、あまり細かい精度を必要とせず、作業に熟練を必要としない。
【００３７】
鋼製基礎３の内側の床下に調湿コンクリート層６が設けられているから、床下及び建物内を調湿コンクリート層６によってその湿度を調整することができる。すなわち、床下及び建物内の湿度が高いときは、調湿コンクリート層６が湿気を吸収し、床下及び建物内が乾燥しているときは、調湿コンクリート層６が湿気を放出して調整するのである。
【００３８】
この建物の基礎の施工方法は、地盤に鉄筋コンクリート製の基礎底盤１を設け、この基礎底盤１の上に鋼製基礎３を設置し、鋼製基礎３の外側に断熱材層４を介して保護化粧材５を設けるから、コンクリートの打設作業は基礎底盤１のみとなり、施工の工期を短縮できる。また、鋼製基礎３は寸法精度を出すのが容易であるので、基礎及びアンカーボルト３２等の位置精度がよくなる。鋼製基礎３の外側を断熱材層４及び保護化粧材５で保護するので、鋼製基礎３が断熱されるとともにその耐錆性、耐蝕性も向上させることができる。
【００３９】
また、鋼製基礎３の内側の地盤上に防湿フィルム６１を介して調湿コンクリート層６を設けるから、地盤からの湿気を防止し、簡単に床下及び建物内の調湿もできるものとなる。
【００４０】
以上、本発明の実施例を説明したが、本発明は上記実施例に限定されるものではなく、本発明の要旨を逸脱しない範囲の設計変更等があっても本発明に含まれる。例えば、図３に示すように、保護化粧材５と建物本体の外壁８３とが面一になっていてもよい。また、鋼製基礎３は、基礎底盤１上に直接的に設けてもよい。基礎底盤１は、現場打ちでなく、工場生産のプレキャストコンクリート板（ＰＣ板）であってもよい。レベル出し機構付き締結用ボルトも、高さ調整コンクリート打設時に通常のアンカーボルトを埋設してもよい。
【００４１】
【発明の効果】
請求項１記載の本発明の建物の基礎構造は、鋼製基礎の外側に断熱材層が設けられ、断熱材層の外側に保護化粧材が設けられているから、寸法精度を出すのが容易な鋼製基礎により基礎及びアンカーボルト等の位置精度がよくなり、断熱材層及び保護化粧材の収まりが向上し、工期の長いコンクリート被覆をする必要がなく、工期の短縮が図れる。
さらに、鉄筋コンクリート製の基礎底盤の上に鋼製基礎が設けられているから、鋼製基礎がより正確に設置でき、基礎及びアンカーボルト等の位置精度がよくなり、作業に熟練を必要とせず、効率的である。
しかも、鋼製基礎の内側の床下に調湿コンクリート層が設けられているから、床下及び建物内を調湿コンクリートによってその湿度を調整することができる。
【００４２】
請求項２記載の本発明の建物の基礎構造は、上記保護化粧材が建物の外壁と略同様の化粧模様になされているから、建物の外壁と基礎の外面とが同様の化粧模様に見え、全体として見栄えがよく、高級感のあるものになる。
【００４３】
請求項３記載の本発明の建物の基礎の施工方法は、地盤に鉄筋コンクリート製の基礎底盤を設け、この基礎底盤の上に鋼製基礎を設置し、鋼製基礎の外側に断熱材層を介して保護化粧材を設けるから、コンクリートの打設作業は基礎底盤のみとなり、施工の工期を短縮でき、また、鋼製基礎により、基礎及びアンカーボルト等の位置精度がよくなり、鋼製基礎が断熱されるとともにその耐錆性、耐蝕性も向上させることができる。
さらに、鋼製基礎の内側の地盤上に防湿層を介して調湿コンクリート層を設けるから、簡単に床下及び建物内の調湿もできるものとなる。
【図面の簡単な説明】
【図１】本発明の実施例である建物の基礎構造の断面図である。
【図２】本発明に用いるレベル出し機構付き締結用ボルトの正面図である。
【図３】本発明の他の実施例である建物の基礎構造の断面図である。
【符号の説明】
１ 基礎底盤
２ 高さ位置調整コンクリート
３ 鋼製基礎
３１ レベル出し機構付き締結用ボルト
３２ アンカーボルト
４ 断熱材層
５ 保護化粧材
６ 調湿コンクリート層
６１ 防湿フィルム（防湿層）
８１ 鋼製土台
８３ 外壁
【図１】
0003739235.tif 000002
【図２】
0003739235.tif 000003
【図３】
0003739235.tif 000004